(57)【特許請求の範囲】
【請求項１】
転写シートの裏面の少なくとも１部に顕色剤層を設けるとともに、その上に色材、ワックス、油分を必須成分として含んでなるバックカーボンインキであって、インキ全体に対して油分を３５〜７０質量％含有するバックカーボンインキ層を設け、受容シートの表面における前記バックカーボンインキ層に少なくとも対向する箇所に、前記バックカーボンインキとは異色に発色する発色剤を含有したマイクロカプセル層を設けた改ざん防止用感圧複写シート。
【発明の詳細な説明】
【０００１】
【発明の属する技術分野】
本発明は、バックカーボンインキを用いた改ざん防止用感圧複写シートに関するものであり、さらに詳しくは、改ざんによる不正行為を簡単に見抜けるようにした、特殊なバックカーボンインキの塗布層を設けた改ざん防止用感圧複写シートに関するものである。
【０００２】
【従来の技術】
一般に、複写帳票類としてはノーカーボン用紙が用いられたものが主流であるが、ＰＣＢ薬剤の毒性問題の後遺症から依然としてバックカーボン用紙を用いたものが要求されており、又その需要も多い。バックカーボン帳票は、例えば図４（ａ）のように裏面の少なくとも１部にバックカーボンインキ層Ｐが設けられた転写シートＱと、これに対応する受容シートＲとが一方の端部で綴合Ｓされた構成のものが代表的である。
【０００３】
しかしながら、従来のバックカーボン帳票では、転写シートＱと受容シートＲに別々の内容を記入して改ざんしてもそれを検証する方法が無いという問題がある。
即ち、申込書等において図４（ｂ）のように、感圧複写シートの転写シートＱ１に申請者が記載事項Ａを記入して、その記載事項Ａが複写された受容シートＲ１を受諾者に提出し、この後申請者が転写シートＱ１の記載事項Ａを改ざんする場合、又は、図４（ｃ）のように別の転写シートＱ２に改ざんを目的とした、異なる記載事項Ｂを記入し、その記載事項Ｂの複写された受容シートＲ２は破棄して転写シートＱ２を先の転写シートＱ１と摺り替える場合等には、申請者の持参した控えＱ２と受諾者が保管している複写物Ｒ１とに記載の相違があるため不正問題が発生する。この際、申請者の改ざんが巧妙であると真偽の判別がつかなくなってしまう。
【０００４】
このような改ざんを防止するために、改ざん防止用感圧複写シートが提案されている（特願２０００−５４９２７号明細書）。
この改ざん防止用感圧複写シートは、受容シートのマイクロカプセル層に対応する転写シートの部分にボールペン等で記載事項を記入すると、その記載事項に対応するバックカーボンインキ層の部分が受容シートのマイクロカプセル層に転移して複写されると同時に、加圧によって受容シートのマイクロカプセル層のカプセルが破壊し、その発色剤が転写シートの顕色剤層に転移し、これらが反応することでバックカーボンインキ層の抜けた箇所がバックカーボンインキとは異なる色に発色するため、この発色の有無によって改ざんを見抜くことができるように意図されたものである。
【０００５】
しかし、この改ざん防止用感圧複写シートは、転写シートの前記部分にボールペン等で記載事項を記入した際、その記載事項に対応するバックカーボンインキ層の部分の抜けが悪く、受容シートのマイクロカプセル層への転移性能が充分でなく、発色剤と顕色剤の反応による発色が充分に行われない問題があった。
【０００６】
【発明が解決しようとする課題】
本発明の目的は、このような従来の問題を解決し、転写シートの前記部分にボールペン等で記載事項を記入した際、その記載事項に対応するバックカーボンインキ層の部分の抜けを良くして受容シートのマイクロカプセル層への転移が充分に行われ、かつ発色剤と顕色剤の反応による充分な発色が行われるようにしたバックカーボンインキ層を形成した改ざん防止用感圧複写シートを提供することである。
【０００７】
【課題を解決するための手段】
本発明者等は前記課題を解決すべく鋭意研究を重ねた結果、バックカーボンインキ層の抜けが悪くなる主たる原因が、黒、赤、青、緑などの色材、ワックス、油分、界面活性剤などから構成されているバックカーボンインキ層が、活性白土、酸性白土、ゼオライト、ベントナイト等の粘土類などの顕色剤から構成される顕色剤層の上に積層して設けられているため、バックカーボンインキ層中の油分が顕色剤層中の粘土類などに吸着、吸収されることによるものであることを見出すとともに、バックカーボンインキ層中の油分の含有量を大きくして、かつ特定の範囲内に限定することにより前記課題を解決できることを見出し、本発明を完成するに至った。
【０００８】
すなわち、本発明の請求項１記載の改ざん防止用感圧複写シートは、転写シートの裏面の少なくとも１部に顕色剤層を設けるとともに、その上に色材、ワックス、油分を必須成分として含んでなるバックカーボンインキであって、インキ全体に対して油分を３５〜７０質量％含有するバックカーボンインキ層を設け、受容シートの表面における前記バックカーボンインキ層に少なくとも対向する箇所に、前記バックカーボンインキとは異色に発色する発色剤を含有したマイクロカプセル層を設けたことを特徴とする。
【０００９】
通常のバックカーボンインキでは、油分はインキ全体に対して、凡そ２０〜３３質量％程度含有されているが、この構成であると改ざん防止用感圧複写シートにおけるバックカーボンインキ層の抜けが悪い。本発明で用いるバックカーボンインキでは、油分をインキ全体に対して３５〜７０質量％の範囲内で含有させることにより、バックカーボンインキ層の抜けが良くなり、受容シートのマイクロカプセル層への転移が充分に行われる。
【００１０】
【発明の実施の形態】
次に、本発明に係るバックカーボンインキを用いた改ざん防止用感圧複写シートの実施形態を添付図面に基づいて説明する。
図１は、本発明に係るバックカーボンインキを用いた改ざん防止用感圧複写シートの説明図である。
図１において、１は転写シート、２は受容シートであり、一方の端部で綴合３されて改ざん防止用感圧複写シート４としてある。転写シート１の記入欄に対応する裏面には顕色剤層５が設けられると共に、その上に本発明で用いるバックカーボンインキを用いて形成されたバックカーボンインキ層６が設けられている。受容シート２の表面側には、バックカーボンインキ層６に対向させてこのバックカーボンインキとは異色に発色する発色剤を含有した透明のマイクロカプセル層７を設けてある。
【００１１】
上記改ざん防止用感圧複写シート４は、マイクロカプセル層７に対応する転写シート１の部分にボールペン等で記載事項を記入すると、その記載事項に対応するバックカーボンインキ層６の部分が受容シート２のマイクロカプセル層７に転移して複写されると同時に、加圧によって受容シート２のマイクロカプセル層７のカプセルが破壊し、その発色剤が転写シート１の顕色剤層５に転移し、これらが反応することでバックカーボンインキ層６の抜けた箇所がバックカーボンインキとは異なる色に発色するため、この発色の有無によって改ざんを簡単に見抜くことができる。
【００１２】
すなわち、改ざん防止用感圧複写シート４は、使用時に転写シート１の記入欄にボールペン等で記入すると、図２に示すように、バックカーボンインキ層６の対応部分６ａが良好に抜けて受容シート２のマイクロカプセル層７の上に転移して複写される。この時、加圧されたマイクロカプセル層７は、その加圧部分のマイクロカプセルが破壊し、発色剤がバックカーボンインキ層６の抜け落ち箇所６ｂを通過して顕色剤層５に転移し、その顕色剤によって発色剤が発色する。この発色部８は、バックカーボンインキの色とは異なるため容易に視認することができる。
【００１３】
マイクロカプセル層７の上には、転写シート１から転移したバックカーボンインキ層６の部分６ａが覆い被っているため、発色剤の転移が懸念されたが、実験したところ顕色剤層５での発色が認められ、発色剤は転写シート１側に転移することが分かった。
【００１４】
図３は、別の転写シート１１を用いて改ざんした例を示すもので、前記転写シート１に記入した記載事項と異なる記載事項を記入すると、この記入によりバックカーボンインキ層１６の対応部分１６ａが抜け落ちる。この際、受容シート２が無いため前記マイクロカプセル層７の発色剤が転移せず、顕色剤層１５での発色は見られない。従って、バックカーボンインキ層１６の抜け落ち箇所１６ｂは、顕色剤層１５の一部が白く見えるだけである。前記転写シート１を改ざんした場合も同様である。
【００１５】
これにより、正しい使用の場合は転写シート１の裏側に発色部８が存在し、改ざんした不正使用の場合は、転写シート１１の裏側に発色部が存在しないことになり、転写シートの裏面を見れば改ざんの有無つまり真偽を簡単に判別することができる。
【００１６】
本発明で用いるバックカーボンインキに用いられる油分は特に限定されるものではなく、具体的には、例えば、鉱物油、グリース、ひまし油などの植物性不乾燥油などあるいはこれらの２種以上の混合物など、従来バックカーボンインキ層６の形成に用いられていた公知の油分を使用できる。
【００１７】
本発明で用いるバックカーボンインキは、油分をインキ全体に対して３５〜７０質量％の範囲内で含有させることが肝要であり、その結果、バックカーボンインキ層６の抜けが良くなり、そして受容シート２のマイクロカプセル層７への転移が充分に行われる。３５質量％未満では、受容シート２のマイクロカプセル層７への転移は行われるが、バックカーボンインキ層６の抜けが悪く、発色が不十分となる恐れがあり、７０質量％を超えるとベタベタする上、色材の量が少なくなるのでマイクロカプセル層７の上に転移して複写されたバックカーボンインキ層６の対応部分６ａの色が薄くなり、発色が不十分となる恐れがあり、いずれも好ましくない。
【００１８】
本発明で用いるバックカーボンインキに用いられる色材は特に限定されるものではなく、具体的には、例えば、赤顔料としては、パーマネントレッド、ウオッチングレッド、バリウムリソールレッド、レーキッドＣ、ブリリアントカーミン６Ｂなど、青顔料としては、フタロシアニンブルー、ビクトリアピュアブルーＢＯレーキ、アルカリブルートナー、レフレックスブルーなど、緑顔料としては、フタロシアニングリーン、フタロシアニングリーンＹ、ブリリアントグリーンレーキなど、茶色顔料としては、ベンズイミダゾロンブラウンＨＦＲ、ベンズイミダゾロンブラウンＨＦＬなど、黒色顔料としては、カーボンブラック、アニリンブラックなど、白色顔料としては、炭酸カルシウム、二酸化チタン、タルクなど、従来のバックカーボンインキに用いられていた公知の色材を使用できる。
【００１９】
本発明で用いるバックカーボンインキに用いられるワックスも特に限定されるものではなく、精製カルナバワックス、モンタンワックス（ＬｉｃｏｗａｘＬＰ、ＬｉｃｏｗａｘＳ、ＬｉｃｏｗａｘＥなど）、ポリエチレンワックスなど、従来のバックカーボンインキに用いられていた公知のワックスあるいはこれらの２種以上の混合物を使用できる。
【００２０】
本発明で用いるバックカーボンインキに用いられる界面活性剤は特に限定されるものではなく、アニオン系、カチオン系、ノニオン系あるいはこれらの２種以上の混合物など、従来のバックカーボンインキに用いられていた公知の界面活性剤を用いることができる。
【００２１】
前記顕色剤層５を形成する顕色剤としては、例えば活性白土、酸性白土、ゼオライト、ベントナイト等の粘土類、フェノール樹脂、芳香族カルボン酸の多価金属塩類及びこれらの混合物が使用でき、特に印字の良好な保存性から２，２−ビスフェノールスルホン化合物の亜鉛塩等が好ましい。
【００２２】
前記マイクロカプセル層７に含有する発色剤は、電子供与性発色剤を使用することができ、例えばベンゾイルロイコメチレンブルー、ｐ−ニオロベンゾイルメチレンブルー等のチアジン系染料、３，３−ビス（ｐ−ジメチルアミノフェニル）−６−ジメチルアミノフタリド等のトリアニールメタン系染料、４，４−ビス−ジメチルアミノベンズヒドリルベンジルエーテル等のジフェニタルメタン系染料、３−フェニル−スピロージナフトピラン等のスピロ系染料、３−ピペリジノ−メチル−７−フェニルアミノフルオラン等のフルオラン系染料等から任意に選択できるが、バックカーボンインキと発色色調は異なることが前提となる。
【００２３】
このような発色剤を含有するマイクロカプセルは、公知のコアセルベーション法、界面重合法、インサイチュ重合法等により製造することができ、そのカプセル分散液を界面活性剤と共に、非水系溶媒に混合分散させ、油溶性バインダーを添加して調製する。このマイクロカプセルは、スポット的に塗布でき、加熱せずとも速やかに乾燥できる紫外線硬化型のインキ化としたものが好適である。即ち、非水系のカプセル分散液に、非水系溶媒、バインダー、界面活性剤、カプセル保護剤、紫外線吸収剤、光重合開始剤、ワックス、増粘剤、増感剤、ゲル化剤等の主剤、補助剤を混合して成る紫外線硬化型のマイクロカプセル塗料としたものである。
【００２４】
本発明に係わる転写シートや受容シートに用いる基材としては、上質紙、アート紙、コート紙、ミラーコート紙、コンデンサー紙、パラフィン紙、その他の紙の他に、合成紙、あるいはポリエチレン、透明性を有するポリエチレンテレフタレート、ポリプロピレン、塩化ビニルなどの合成フィルムやシート、銅、アルミニウムなどの金属あるいはこれらを組み合わせた複合体を用いることができる。これらの合成フィルムやシートを用いる場合には基材の表面をマット処理、コロナ処理などの表面処理を施してもよい。
【００２５】
本発明で用いるバックカーボンインキは、凸版印刷、グラビア印刷法などの凹版印刷、オフセット方式などの平板印刷、スクリーン印刷およびインクジェット方式その他の通常用いられる印刷方法で顕色剤層の上の所定部に塗工してバックカーボンインキ層を形成することができる。
【００２６】
なお、本発明は上記実施形態に限定されるものではないので、特許請求の範囲に記載の趣旨から逸脱しない範囲で各種の変形実施が可能である。
【００２７】
【実施例】
以下実施例および比較例により本発明を更に詳しく説明するが、本発明はこれら実施例に何ら制約されるものではない。
（実施例１）
カルナバワックス（商品名：精製カルナバワックスＮｏ．１、野田ワックス社製）２６質量部とモンタンワックス（商品名：Ｌｉｃｏｗａｘ  ＬＰ  クライアントジャパン社製）２７質量部およびポリエチレンワックス（商品名：Ｌｉｃｏｌｕｂ  Ｈ１２  クライアントジャパン社製）７質量部に、ひまし油３５質量部とスピンドル油８５質量部を加え、１２０℃に昇温させて溶解させた。これに茶色顔料（ベンズイミダゾロンブラウンＨＦＣ）２４質量部と体質顔料（アルミナホワイト）１６質量部を添加し攪拌する。攪拌されたインキをビーズミルで混練し茶色発色のバックカーボンインキ層形成用の本発明で用いるバックカーボンインキを調製した（インキ全体に対する油分含有量５４．５質量％）。
本発明で用いるバックカーボンインキを使用して形成したバックカーボンインキ層を有する図１に示した改ざん防止用感圧複写シートを作成した。なお、マイクロカプセルに封入されている無色染料は青発色染料を使用した。作成した改ざん防止用感圧複写シートについて、次の評価方法により複写性能および改ざん防止効果を評価した結果を表１に示す。
【００２８】
（評価方法）：
描画試験機（荷重２５０ｇ）を使用し、顕色剤層（クレーインキ層）５およびマイクロカプセル層７が形成されている箇所および、バックカーボン層６はあるが、顕色剤層（クレーインキ層）５およびマイクロカプセル層７が形成されていない箇所の複写を行った。そして、転写シート１側のバックカーボンインキ層６の抜けおよび発色部８の発色状況を判定するとともに、受容シート２側のマイクロカプセル層７上に転移された抜け落ち箇所６ｂの複写状態を判定して複写性能および改ざん防止効果の評価を行った。
評価した結果を表１に示す。
【００２９】
（転写シート１側）
○：バックカーボンインキ層６の抜けがよく、かつバックカーボンインキとは異色に発色している。
△：バックカーボンインキがやや残っているが、バックカーボンインキとは異色に発色しており、実用上問題がない。
×：バックカーボンインキ層６の抜けが悪く、発色が明瞭でない。
【００３０】
（受容シート２側）
○：マイクロカプセル層７上に転移された抜け落ち箇所６ｂの複写状態がよく、顕色剤層（クレーインキ層）５およびマイクロカプセル層７が形成されていない箇所と同等に良好な複写が行われている。
△：やや劣るが、実用上問題がない。
×：かなり劣り、実用上問題がある。
【００３１】
（実施例２）
実施例１で使用した茶色顔料を黒色顔料（カーボンブラック）に変更し、無色染料を赤発色染料に変更した以外は実施例１と同様にして、黒色発色のバックカーボンインキ層形成用の本発明で用いるバックカーボンインキを調製し（インキ全体に対する油分含有量５４．５質量％）、図１に示した改ざん防止用感圧複写シートを作成し、複写性能および改ざん防止効果を評価した結果を表１に示す。
【００３２】
（実施例３）
実施例１で使用した茶色顔料を青色顔料（β形フタロシアニンブルー）に変更し、無色染料を赤発色染料に変更した以外は実施例１と同様にして、青色発色のバックカーボンインキ層形成用の本発明で用いるバックカーボンインキを調製し（インキ全体に対する油分含有量５４．５質量％）、図１に示した改ざん防止用感圧複写シートを作成し、複写性能および改ざん防止効果を評価した結果を表１に示す。
【００３３】
（実施例４）
実施例１で使用したひまし油を２５質量部に、スピンドル油を６５質量部に変更した以外は実施例１と同様にして、茶色発色のバックカーボンインキ層形成用の本発明で用いるバックカーボンインキを調製し（インキ全体に対する油分含有量４７．３質量％）、図１に示した改ざん防止用感圧複写シートを作成し、複写性能および改ざん防止効果を評価した結果を表１に示す。
【００３４】
（実施例５）
実施例１で使用したひまし油を２０質量部に、スピンドル油を５０質量部に変更した以外は実施例１と同様にして、茶色発色のバックカーボンインキ層形成用の本発明で用いるバックカーボンインキを調製し（インキ全体に対する油分含有量４１．１質量％）、図１に示した改ざん防止用感圧複写シートを作成し、複写性能および改ざん防止効果を評価した結果を表１に示す。
【００３５】
（比較例１）
実施例１で使用したひまし油を１５質量部に、スピンドル油を３５質量部に変更した以外は実施例１と同様にして、茶色発色のバックカーボンインキ層形成用の比較のためのバックカーボンインキを調製し（インキ全体に対する油分含有量３３．３質量％）、図１に示した改ざん防止用感圧複写シートを作成し、複写性能および改ざん防止効果を評価した結果を表１に示す。
【００３６】
（比較例２）
実施例１で使用したひまし油を１０質量部に、スピンドル油を２５質量部に変更した以外は実施例１と同様にして、茶色発色のバックカーボンインキ層形成用の比較のためのバックカーボンインキを調製し（インキ全体に対する油分含有量２５．９質量％）、図１に示した改ざん防止用感圧複写シートを作成し、複写性能および改ざん防止効果を評価した結果を表１に示す。
【００３７】
【表１】
0004714330.tif 000002
【００３８】
表１から実施例１〜５の本発明で用いるバックカーボンインキを使用すると、転写シート１側のバックカーボンインキ層６の抜けがよく、かつバックカーボンインキとは異色に発色し、受容シート２側のマイクロカプセル層７上に転移された抜け落ち箇所６ｂの複写状態がよく、複写性能がよく、改ざん防止効果が高いことが判る。
それに対して、比較例１〜２のバックカーボンインキを使用すると、受容シート２側の複写性能はよいが、転写シート１側のバックカーボンインキ層６の抜けが悪く、発色がはっきりせず、複写性能および改ざん防止効果が劣ることが判る。
【００３９】
【発明の効果】
本発明の請求項１記載の改ざん防止用感圧複写シートによれば、転写シートにボールペン等で記載事項を記入した際、その記載事項に対応するバックカーボンインキ層の部分の抜けが良く、受容シートのマイクロカプセル層への転移が充分に行われ、そして発色剤と顕色剤の反応による充分な発色が行われるので複写性能および改ざん防止効果が高く、容易に改ざんされることがないという顕著な効果を奏する。
【図面の簡単な説明】
【図１】  本発明に係るバックカーボンインキを用いた改ざん防止用感圧複写シートの実施形態を模式的に示す説明図である。
【図２】  図１に示した改ざん防止用感圧複写シートの正しい使用状態を模式的に示す説明図である。
【図３】  不正使用の状態を模式的に示す説明図である。
【図４】  （ａ）は従来のバックカーボン感圧複写シートを模式的に示す説明図、（ｂ）は正しい使用状態を模式的に示す説明図、（ｃ）は不正使用の状態を模式的に示す説明図である。
【符号の説明】
１…転写シート
２…受容シート
３…綴合
４…改ざん防止用感圧複写シート
５…顕色剤層
６…バックカーボンインキ層
７…マイクロカプセル層
８…発色部
【図１】
0004714330.tif 000003
【図２】
0004714330.tif 000004
【図３】
0004714330.tif 000005
【図４】
0004714330.tif 000006